(57)【特許請求の範囲】
【請求項１】
相対回転可能な２つの構造グループ（１，２）を備え、この構造グループが少なくとも１個のスラストピストン（７１）を含むばね装置（７）を介して互いに作用連結され、少なくとも両構造グループ（１，２）相互の所定の回転角度の際にばね装置のスラストピストン（７１）と少なくとも第２の構造グループ（２）との間の力の伝達が、スラストピストン（７１）に作用する外周面を介して行われる、ねじり振動ダンパにおいて、外周面（４）が第２の構造グループ（２）に対して弾性的に配置された別個の構造グループ（３）に形成されていることを特徴とするねじり振動ダンバにおいて、別個の構造グループ（３）が２つの脚部（３’，３”）を備えたＬ字形の横断面を有し、第１の脚部（３’）が外周面（４）を有し、第２の脚部（３”）が第２の構造グループ（２）に固定されていることを特徴とするねじり振動ダンパ。
【請求項２】
固定が第２の脚部（３”）の内側端部（３２）で行われていることを特徴とする請求項１記載のねじり振動ダンパ。
【請求項３】
別個の構造グループ（３）が第２の構造グループ（２）における固定部（５）と外周面（４）との間に、材料強度低下部を有することを特徴とする請求項１〜２のいずれか一つに記載のねじり振動ダンパ。
【請求項４】
別個の構造グループ（３）がリング状に形成されていることを特徴とする請求項１〜３のいずれか一つに記載のねじり振動ダンパ。
【請求項５】
リングが外周面（４）を有する脚部（３’）と第２の構造グループ（２）に固定された脚部（３”）を有し、リングが外周面（４）と固定部（５）の間に少なくとも一つの切欠き（３１）を有することを特徴とする請求項４記載のねじり振動ダンパ。
【請求項６】
外周面（４）が少なくとも１個のウェブ（３０）を介して第２の構造グループ（２）に連結されていることを特徴とする請求項１〜５のいずれか一つに記載のねじり振動ダンパ。
【請求項７】
ウェブ（３０）が外周面（４）からほぼ垂直に突出していることを特徴とする請求項６記載のねじり振動ダンパ。
【請求項８】
外周面（４）が回転軸線に対してほぼ平行に延び、ウェブ（３０）がほぼ半径方向に延びていることを特徴とする請求項６または７記載のねじり振動ダンパ。
【請求項９】
外周面（４）がウェブ（３０）に一体連結されたリングに形成されていることを特徴とする請求項６〜８のいずれか一つに記載のねじり振動ダンパ。
【請求項１０】
複数のウェブ（３０）を備え、このウェブの数と配置が外周面（４）の形状と一致していることを特徴とする請求項６〜９のいずれか一つに記載のねじり振動ダンパ。
【発明の詳細な説明】
【発明の属する技術分野】
本発明は、相対回転可能な２つの構造グループを備え、この構造グループが少なくとも１個のスラストピストンを含むばね装置を介して互いに作用連結され、少なくとも両構造グループ相互の所定の回転角度の際にばね装置のスラストピストンと少なくとも第２の構造グループとの間の力の伝達が、スラストピストンに作用する外周面を介して行われる、ねじり振動ダンパに関する。
【従来の技術】
このようなねじり振動ダンパは例えばドイツ連邦共和国特許出願公開第１９５４４８３２号公報によって知られている。このねじり振動ダンパの場合には、駆動ディスクが被駆動ディスクにかぶさり、かぶさる部分の内面に周方向において分配配置された半径方向のポケットを備えている。このポケットの外周面はその外周端部の方にややくさび状に駆動ディスクに向けて先細になっている。被駆動ディスクの外周面は横断面が多角形であり、駆動ディスクのポケット内にくさび状のスラストピストンが配置されている。このスラストピストンは圧縮ばねによって離れる方向に互いに保持されている。従って、駆動ディスクから出発して、力がスラストピストンと圧縮ばねを介して被駆動ディスクの外周面に伝わる。
【発明が解決しようとする課題】
そこで、本発明の課題は、特性を良好に適合可能なねじり振動ダンパを提供することである。
【課題を解決するための手段】
解決策として、冒頭に述べたねじり振動ダンパにおいて、外周面が第２の構造グループに弾性的に連結された別個の構造グループに形成されていることが提案される。別個の構造グループは特に、第２の構造グループに対して周方向において弾性的に連結されている。このような配置により、第１と第２の構造グループとが付加的に有利に連結解除される。特に、別個の構造グループと第２の構造グループ間の弾性が所望な状態に適合することができるので、本発明によるねじり振動ダンパのばね特性は、従来の公知のねじり振動ダンパの場合よりも大きく変えることが可能であり、かつ所望される要求に適合可能である。本発明によるねじり振動ダンパは、ねじり振動ダンパのために使用可である、摩擦リングまたは引きずりリング等のようなすべての減衰手段を備えることができるので、従ってねじり振動ダンパの特性を適当に変更または適合させることができる。本発明の場合、力の流れ（伝達）方法は重要ではない。第２の構造グループは駆動部材であってもよいし、被駆動部材であってもよい。第２の構造グループが被駆動部材として形成されているときには、本発明は、技術水準によって知られているねじり振動ダンパに直接適用可能である。特に第２の構造グループはクラッチフランジとして形成されているかまたはクラッチフランジに連結されている。特にねじり振動ダンパがクラッチと関連して使用されるときには、別個の構造グループは両構造グループ間の熱絶縁作用を高めるという利点がある。本発明は多角形の外周面に限定されない。相対回転可能な両構造グループの回転時に回転方向に対して垂直方向の両構造グループの間隔が小さくなり、この間隔の縮小がばね装置を圧縮させるように形成されたすべての外周面を有利に使用することができる。同様に、本発明の場合には、あらゆるばね装置、特にそのあらゆる弾性材料および形状を有利に使用することができる。別個の構造グループの弾性的な連結は特に、別個の構造グループがほぼＬ字形の横断面を有し、第１の脚部が外周面を有し、第２の脚部が第２の構造グループに固定されていることによって、きわめて簡単にかつ充分に安定するように行うことができる。別個の構造グループと第２の構造グループ間の固定手段または連結手段として、例えばボルト、リベットあるいは溶接、接着等の固定方法のようなすべての固定手段を用いることができる。特に、別個の構造グループの固定が第２の脚部の内側端部で行われていると有利である。これにより、第２の脚部は外周面と固定部または第２の構造グループ間の弾性要素としての働きをすることができる。別個の構造グループが第２の構造グループにおける固定部と外周面との間に、材料強度低下部を備えていると特に有利である。この材料強度低下部としては、別個の構造グループの弾性特性を適切に変更できるすべての材料強度低下部が適している。このような材料強度低下部を設けるためには、特に材料切除部や切欠きが適している。このような構造は本発明による別個の構造グループのきわめて簡単な製作を可能にする。なぜなら、第２の構造グループを一体製作可能であるからである。別個の構造グループの弾性特性を変更する適切な材料強度低下部を備えた別個の構造グループを設けることは、本発明の根底をなす思想である。この基本思想は他のねじり振動ダンパの場合にも、特に力の伝達が多角形外周面を介して行われないねじり振動ダンパの場合にも、有利に使用することができる。別個の構造グループのほぼリング状の形成は、別個の構造グループの高い安定性を生じる。この場合、このリング形状が多角形の外周面に適合していると有利である。特に、リングはほぼ多角形の外周面を備えた脚部と、第２の構造グループに固定された脚部を有し、リングは外周面と固定部の間に少なくとも一つの切欠きを有する。この切欠きは材料強度低下部としての働きをし、第２の構造グループに固定された脚部はばね要素としての働きをする。この両脚部を直角に配置すると、安定しているので有利である。本発明は他方では、ほぼ多角形の外周面が少なくとも１個のウェブを介して第２の構造グループに連結されるように実施することができる。このウェブはこのような配置構造の場合、本発明によるばね要素としての働きをする。この場合にも、ウェブが外周面からほぼ垂直に突出していると有利である。外周面は回転軸線に対してほぼ平行に延び、ウェブはほぼ半径方向に延びている。これにより、本発明のねじり振動ダンパにとって特に有利な力の状態が生じる。なぜなら、半径方向の表面成分に基づいて、概して、非常に小さな軸方向力しかねじり振動ダンパに生じないからである。外周面がウェブに一体連結されたリングに形成されていると、別個の構造グループをきわめて簡単に製作することができる。ウェブを複数設けることができる。特に、ウェブの数と配置が外周面の形状と一致していると有利である。なぜなら、これによって、均一な力の分配ひいては本発明による装置全体の安定性向上が達成されるからである。更に、本発明による材料強度低下部、脚部、ウェブおよびボルト、リベットまたは点状の固定方法のような固定手段は、相対的な回転可能な両構造グループの間の熱伝達を低減するという利点がある。この理由から、本発明によるねじり振動ダンパはクラッチと関連して使用すると特に有利である。
【発明の実施の形態】
本発明の他の効果、目的および内容は添付の図に基づく次の説明から明らかになる。図には、本発明によるねじり振動ダンパが例示的に示してある。例示的に示したねじり振動ダンパは第１の構造グループ１と第２の構造グループ２を備え、この両構造グループは軸受１０を介して相対回転可能に配置されている。両構造グループ１，２はばね装置７を介して作用連結されている。このばね装置は周方向において分配されて配置された接線方向に作用するばね７０からなっている。このばねはその端部にそれぞれ公知のごとくスラストピストン７１を保持している。ねじり振動ダンパは更に、別個の構造グループ３を備えている。この構造グループは多角形の外周面を介してスラストピストンに接触している。この別個の構造グループ３はほほぼＬ字形の横断面を有する。この構造グループ３の第１の脚部３’は外周面４を有する。一方、第２の脚部３”は第１の脚部３’から直角に突出し、固定部材５、すなわち連結リベットによって第２の構造グループ２に連結されている。第２の脚部３”はウェブ３０を備えている。このウェブは切欠き３１によって互いに離隔され、その数と対称構造は外周面４に一致している。特に図２から明らかなように、別個の構造グループ３の固定は第２の脚部３”の内側端部で行われている。この場合、第２の脚部３”の内側端部は安定性上の理由から、固定リング３２として形成されている。ねじり振動ダンパの他の減衰作用は引きずりリングとして形成された摩擦要素６によって行われる。
【図面の簡単な説明】
【図１】図２のＡ−Ｂ線に沿ったねじり振動ダンパの断面図である。
【図２】図１のねじり振動ダンパの横断面図である。
【符号の説明】
１                  第１の構造グループ
２                  第２の構造グループ
３                  第３の構造グループ
３′，３″          脚部
４                  外周面
５                  固定部
７                  ばね装置
３０                ウェブ
３１                切欠き
３２                外側端部
７１                スラストピストン
【図１】
0004260956.tif 000002
【図２】
0004260956.tif 000003